(57)【要約】      （修正有）【課題】ハンドオーバ後にデータ伝送を取り扱う方法を提供する。【解決手段】ハンドオーバ後のデータ伝送を取り扱う通信デバイスは、第１の基地局（ＢＳ）から、第１のデータ無線ベアラ（ＤＲＢ）を設定する並びに第１のフローを第１のＤＲＢにマッピングするマッピングを設定する第１の無線リソース制御（ＲＲＣ）メッセージを受信すること、第１のＢＳから第２のＤＲＢを通じて第１のフロー又は第２のフローの第１のＰＤＵを受信すること、第１のＰＤＵに応答して第２のＤＲＢを通じて第１のフローの第３の複数のＰＤＵを送信すること、第１のＢＳからハンドオーバ命令を受信すること、ハンドオーバ命令に応答して第２のＢＳへのハンドオーバを実行すること及び第２のＢＳへのハンドオーバの実行後にハンドオーバ命令に応答して第１のＤＲＢを通じて第１のフローの第４の複数のＰＤＵを第２のＢＳに送信することを含む。【選択図】図４
2018093493.tif 000002
【特許請求の範囲】
【請求項１】
ハンドオーバ後のデータ伝送を取り扱う通信デバイスであって、
−  ストレージデバイスと、
−  該ストレージデバイスに連結される処理回路とを含み、
前記ストレージデバイスは、
第１の基地局（ＢＳ）から、第１のデータ無線ベアラ（ＤＲＢ）を設定する並びに第１のフローを前記第１のＤＲＢにマッピングするマッピングを設定する第１の無線リソース制御（ＲＲＣ）メッセージを受信するという指令と、
該第１のＲＲＣメッセージに応答して、前記第１のＤＲＢを通じて前記第１のフローの第１の複数のプロトコルデータユニット（ＰＤＵ）を送信するという指令と、
前記第１のＢＳから第２のＤＲＢを通じて前記第１のフロー又は第２のフローの第２のＰＤＵを受信するという指令と、
該第２のＰＤＵに応答して、前記第２のＤＲＢを通じて前記第１のフローの第３の複数のＰＤＵを送信するという指令と、
前記第１のＢＳからハンドオーバ命令を受信するという指令と、
該ハンドオーバ命令に応答して、第２のＢＳへのハンドオーバを実行するという指令と、
前記第２のＢＳへの前記ハンドオーバの実行後に、前記ハンドオーバ命令に応答して、前記第１のＤＲＢを通じて前記第１のフローの第４の複数のＰＤＵを前記第２のＢＳに送信するという指令と、
を格納し、
前記処理回路は、前記ストレージデバイスに格納される前記指令を実行するように構成される、
通信デバイス。
【請求項２】
前記第１のＲＲＣメッセージは、前記第２のＤＲＢを設定し、或いは、当該通信デバイスは、前記第２のＤＲＢを設定する第２のＲＲＣメッセージを受信する、請求項１に記載の通信デバイス。
【請求項３】
前記第１のフロー及び前記第２のフローは、前記第１のＲＲＣメッセージ又は前記第２のＲＲＣメッセージにおいて前記第１のＤＲＢに集められるよう、前記第１のＢＳによって構成される、請求項２に記載の通信デバイス。
【請求項４】
前記第１のＲＲＣメッセージは、前記マッピングを設定するマッピング設定と、前記第１のＤＲＢを設定するＤＲＢ設定とを含み、
当該ストレージデバイスは、
前記ハンドオーバ命令に応答して、前記マッピング設定及び前記ＤＲＢ設定を維持するという指令を更に格納する、
請求項１に記載の通信デバイス。
【請求項５】
前記ストレージデバイスは、
前記ハンドオーバ命令に応答してセカンダリセル（ＳＣｅｌｌ）設定又はセカンダリセルグループ（ＳＣＧ）設定を解除するという指令を更に格納する、
請求項１に記載の通信デバイス。
【請求項６】
当該通信デバイスは、前記ハンドオーバの実行前に、アップリンク（ＵＬ）伝送及びダウンリンク（ＤＬ）伝送のうちの少なくとも一方をスケジュールするよう前記ネットワークによって伝送される制御チャネルをモニタリングするための識別子で構成され、
前記ストレージデバイスは、
前記ハンドオーバ命令が新しい識別子を含まないならば、前記ハンドオーバ命令に応答して、前記識別子を維持するという指令を更に格納する、
請求項１に記載の通信デバイス。
【請求項７】
前記ハンドオーバ命令がＤＲＢへの前記第１のフローを示すマッピング設定を含まないときに、当該通信デバイスは、前記ハンドオーバ命令に応答して前記ハンドオーバの実行後に前記第１のＤＲＢを通じて前記第１のフローの前記第４の複数のＰＤＵを送信する、請求項１に記載の通信デバイス。
【請求項８】
前記ハンドオーバ命令が前記第１のフローから前記第２のＤＲＢへの他のマッピングを設定するときに、当該通信デバイスは、前記ハンドオーバ命令に応答して前記ハンドオーバの実行後に前記第２のＤＲＢを通じて前記第１のフローの第５の複数のＰＤＵを送信する、請求項１に記載の通信デバイス。
【請求項９】
ハンドオーバ後のデータ伝送を取り扱う通信デバイスであって、
−  ストレージデバイスと、
−  該ストレージデバイスに連結される処理回路とを含み、
前記ストレージデバイスは、
ａ）第１の基地局（ＢＳ）から、第１のデータ無線ベアラ（ＤＲＢ）を設定する並びに第１のフローを前記第１のＤＲＢにマッピングするマッピングを設定する第１の無線リソース制御（ＲＲＣ）メッセージを受信するという指令と、
ｂ）該第１のＲＲＣメッセージに応答して、前記第１のＤＲＢを通じて前記第１のフローの第１の複数のプロトコルデータユニット（ＰＤＵ）を送信するという指令と、
ｃ）前記第１のＢＳから第２のＤＲＢを通じて前記第１のフロー又は第２のフローの第２のＰＤＵを受信するという指令と、
ｄ）該第２のＰＤＵに応答して、前記第２のＤＲＢを通じて前記第１のフローの第３の複数のＰＤＵを送信するという指令と、
ｅ）前記第１のＢＳからハンドオーバ命令を受信するという指令と、
ｆ）該ハンドオーバ命令に応答して第２のＢＳへのハンドオーバを実行するという指令と、
ｇ）前記第２のＢＳへの前記ハンドオーバの実行後に、前記ハンドオーバ命令に応答して、前記第２のＤＲＢを通じて前記第１のフローの第４の複数のＰＤＵを前記第２のＢＳに送信するという指令と、
を格納し、
前記処理回路は、前記ストレージデバイスに格納される前記指令を実行するように構成される、
通信デバイス。
【請求項１０】
前記第１のＲＲＣメッセージは、前記第２のＤＲＢを設定し、或いは、当該通信デバイスは、前記第２のＤＲＢを設定する第２のＲＲＣメッセージを受信する、請求項９に記載の通信デバイス。
【請求項１１】
前記第１のフロー及び前記第２のフローは、前記第１のＲＲＣメッセージ又は前記第２のＲＲＣメッセージにおいて前記第１のＤＲＢに集められるよう、前記第１のＢＳによって構成される、請求項１０に記載の通信デバイス。
【請求項１２】
前記第１のＲＲＣメッセージは、前記マッピングを設定するマッピング設定と、前記第１のＤＲＢを設定するＤＲＢ設定とを含み、
当該ストレージデバイスは、
前記ハンドオーバ命令に応答して前記マッピング設定及び前記ＤＲＢ設定を維持するという指令を更に格納する、
請求項９に記載の通信デバイス。
【請求項１３】
前記ストレージデバイスは、
前記ハンドオーバ命令に応答してセカンダリセル（ＳＣｅｌｌ）設定又はセカンダリセルグループ（ＳＣＧ）設定を解除するという指令を更に格納する、
請求項９に記載の通信デバイス。
【請求項１４】
当該通信デバイスは、前記ハンドオーバの実行前に、アップリンク（ＵＬ）伝送及びダウンリンク（ＤＬ）伝送のうちの少なくとも一方をスケジュールするよう前記ネットワークによって伝送される制御チャネルをモニタリングするための識別子で構成され、
前記ストレージデバイスは、
前記ハンドオーバ命令が新しい識別子を含まないならば、前記ハンドオーバ命令に応答して前記識別子を維持する、
請求項９に記載の通信デバイス。
【請求項１５】
前記ハンドオーバ命令がＤＲＢへの前記第１のフローを示すマッピング設定を含まないときに、当該通信デバイスは、前記ハンドオーバ命令に応答して前記ハンドオーバの実行後に前記第１のＤＲＢを通じて前記第１のフローの前記第４の複数のＰＤＵを送信する、請求項９に記載の通信デバイス。
【請求項１６】
前記ハンドオーバ命令が前記第１のフローから前記第２のＤＲＢへの他のマッピングを設定するときに、当該通信デバイスは、前記ハンドオーバ命令に応答して前記ハンドオーバの実行後に前記第２のＤＲＢを通じて前記第１のフローの第５の複数のＰＤＵを送信する、請求項９に記載の通信デバイス。
【請求項１７】
データ伝送を取り扱う第１の基地局（ＢＳ）と第２のＢＳとを含む、ネットワークであって、
当該ネットワークは、
ａ）前記第１のＢＳが、第１のデータ無線ベアラ（ＤＲＢ）を設定する並びに第１のフローを前記第１のＤＲＢにマッピングするマッピングを設定する第１の無線リソース制御（ＲＲＣ）メッセージを通信デバイスに送信するという指令と、
ｂ）前記第１のＢＳが、前記第１のＲＲＣメッセージに応答して、前記第１のＤＲＢを通じて前記第１のフローの第１のプロトコルデータユニット（ＰＤＵ）を前記通信デバイスと通信させるという指令と、
ｃ）前記第１のＢＳが、第２のＤＲＢを通じて前記第１のフロー又は第２のフローの第２の複数のＰＤＵを前記通信デバイスに送信することを決定するという指令と、
ｄ）前記第１のＢＳが、前記決定に応答して、前記第２のＤＲＢを通じて前記第１のフローの第３の複数のＰＤＵを前記通信デバイスと通信させるという指令と、
ｅ）前記第１のＢＳが、ハンドオーバ命令を前記通信デバイスに送信して、前記通信デバイスを前記第２のＢＳにハンドオーバするという指令と、
ｆ）前記第２のＢＳが、前記第２のＢＳへの前記通信デバイスのハンドオーバ後に、前記マッピングに従って、前記第１のＤＲＢを通じて前記第１のフローの第４の複数のＰＤＵを前記通信デバイスと通信させるという指令と、
を実行するように構成される、
ネットワーク。
【請求項１８】
当該ネットワークは、
前記第１のＢＳが、ハンドオーバ準備において、ハンドオーバ要求メッセージにおける前記マッピングを前記第２のＢＳに送信し、
前記第２のＢＳが、前記ハンドオーバ要求メッセージに応答して、前記ハンドオーバ命令を含むハンドオーバ要求承認メッセージを前記第１のＢＳに送信し、
前記第１のＢＳが、前記第１のＢＳが前記ハンドオーバ要求承認メッセージを受信するときに、前記ハンドオーバ命令を前記通信デバイスに送信するという指令を実行するように構成される、
請求項１７に記載のネットワーク。
【請求項１９】
前記ハンドオーバ命令は、前記マッピングを設定しない、請求項１７に記載のネットワーク。
【請求項２０】
前記ハンドオーバ命令は、前記マッピングを設定する、請求項１７に記載のネットワーク。
【発明の詳細な説明】
【技術分野】
【０００１】
本発明は、無線通信システムで用いられるデバイス及び方法に関し、より具体的には、ハンドオーバ(handover)後にデータ伝送を取り扱うデバイス及び方法に関する。
【背景技術】
【０００２】
ロングタームエボリューション（ＬＴＥ）システムは、キャリアアグリゲーション（ＣＡ）、デュアルコネクティビティ（ＤＣ）、免許不要帯域を通じたＬＴＥ伝送（例えば、ＬＴＥ−免許不要（ＬＴＥ−Ｕ）又はライセンス補助アクセス（ＬＡＡ））を含む。
【先行技術文献】
【非特許文献】
【０００３】
【非特許文献１】3GPP  TR  23.799  v1.1.0  (2016-10),  Technical  Report,  “3rd  Generation  Partnership  Project;  Technical  Specification  Group  Services  and  System  Aspects;  Study  on  Architecture  for  Next  Generation  System  (Release  14)”
【発明の概要】
【０００４】
従って、本発明は、上述の問題を解決するためにハンドオーバ後のデータ伝送を取り扱う通信デバイス及び方法を提供する。
【０００５】
ハンドオーバ後のデータ伝送を取り扱う通信デバイスが、指令を格納するストレージデバイスと、ストレージデバイスに連結される処理回路とを含む。処理回路は、ストレージデバイスに格納される指令を実行するように構成される。指令は、第１の基地局（ＢＳ）から、第１のデータ無線ベアラ（ＤＲＢ）を設定する並びに第１のフローを第１のＤＲＢにマッピングするマッピングを設定する第１の無線リソース制御（ＲＲＣ）メッセージを受信すること、第１のＲＲＣメッセージに応答して第１のＤＲＢを通じて第１のフローの第１の複数のプロトコルデータユニット（ＰＤＵ）を送信すること、第１のＢＳから第２のＤＲＢを通じて第１のフロー又は第２のフローの第２のＰＤＵを受信すること、第２のＰＤＵに応答して第２のＤＲＢを通じて第１のフローの第３の複数のＰＤＵを送信すること、第１のＢＳからハンドオーバ命令を受信すること、ハンドオーバ命令に応答して第２のＢＳへのハンドオーバを実行すること、及び、第２のＢＳへのハンドオーバの実行後にハンドオーバ命令に応答して第１のＤＲＢを通じて第１のフローの第４の複数のＰＤＵを第２のＢＳに送信することを含む。
【０００６】
ハンドオーバ後のデータ伝送を取り扱う通信デバイスが、指令を格納するストレージデバイスと、ストレージデバイスに連結される処理回路とを含む。処理回路は、ストレージデバイスに格納される指令を実行するように構成される。指令は、第１の基地局（ＢＳ）から、第１のデータ無線ベアラ（ＤＲＢ）を設定する並びに第１のフローを第１のＤＲＢにマッピングするマッピングを設定する第１の無線リソース制御（ＲＲＣ）メッセージを受信すること、第１のＲＲＣメッセージに応答して第１のＤＲＢを通じて第１のフローの第１の複数のプロトコルデータユニット（ＰＤＵ）を送信すること、第１のＢＳから第２のＤＲＢを通じて第１のフロー又は第２のフローの第２のＰＤＵを受信すること、第２のＰＤＵに応答して第２のＤＲＢを通じて第１のフローの第３の複数のＰＤＵを送信すること、第１のＢＳからハンドオーバ命令を受信すること、ハンドオーバ命令に応答して第２のＢＳへのハンドオーバを実行すること、及び、第２のＢＳへのハンドオーバの実行後にハンドオーバ命令に応答して第２のＤＲＢを通じて第１のフローの第４の複数のＰＤＵを前記第２のＢＳに送信することを含む。
【０００７】
データ伝送を取り扱う第１の基地局（ＢＳ）と第２のＢＳとを含む、ネットワークであって、ネットワークは、第１のＢＳが、第１のデータ無線ベアラ（ＤＲＢ）を設定する並びに第１のフローを第１のＤＲＢにマッピングするマッピングを設定する第１の無線リソース制御（ＲＲＣ）メッセージを通信デバイスに送信し、第１のＢＳが、第１のＲＲＣメッセージに応答して、第１のＤＲＢを通じて第１のフローの第１のプロトコルデータユニット（ＰＤＵ）を通信デバイスと通信させ、第１のＢＳが、第２のＤＲＢを通じて第１のフロー又は第２のフローの第２の複数のＰＤＵを通信デバイスに送信することを決定し、第１のＢＳが、その決定に応答して、第２のＤＲＢを通じて第１のフローの第３の複数のＰＤＵを通信デバイスと通信させ、第１のＢＳが、ハンドオーバ命令を通信デバイスに送信して、通信デバイスを第２のＢＳにハンドオーバし、第２のＢＳが、第２のＢＳへの通信デバイスのハンドオーバ後に、マッピングに従って第１のＤＲＢを通じて第１のフローの第４の複数のＰＤＵを通信デバイスと通信させる、という指令を実行するように構成される、ネットワーク。
【０００８】
本発明のこれらの及び他の目的は、様々な図及び図面に例示される好適な実施形態の以下の詳細な記述を読んだ後に当業者に疑義なく明らかになるであろう。
【図面の簡単な説明】
【０００９】
【図１】本発明の実施例に従った無線通信システムの概略図である。
【００１０】
【図２】本発明の実施例に従った通信デバイスの概略図である。
【００１１】
【図３】本発明の実施例に従ったプロセスのフローチャートである。
【００１２】
【図４】本発明の実施例に従ったプロセスのフローチャートである。
【００１３】
【図５】本発明の実施例に従ったプロセスのフローチャートである。
【００１４】
【図６】本発明の実施例に従ったプロセスのフローチャートである。
【００１５】
【図７】本発明の実施例に従ったプロセスのフローチャートである。
【００１６】
【図８】本発明の実施例に従ったプロセスのフローチャートである。
【発明を実施するための形態】
【００１７】
図１は、本発明の実施例に従った無線通信システム１０の概略図である。無線通信システム１０は、簡潔には、ネットワークと、複数の通信デバイスとで構成される。ネットワーク及び通信デバイスは、（複数の）ライセンス帯域及び／又は（複数の）ライセンス不要帯域の１つ又はそれよりも多くのキャリアを介して互いに通信することがある。ネットワーク及び通信デバイスは、１つ又は多数の基地局（ＢＳ）に属する１つ又は多数のセル（例えば、多数のキャリア）を介して互いに同時に通信することがある。上述のセルは、同じ又は異なる複信モード、例えば、周波数分割複信（ＦＤＤ）、時分割複信（ＴＤＤ）又はフレキシブル複信(flexible  duplexing)で作動させられることがある。
【００１８】
図１において、ネットワーク及び通信デバイスは、無線通信システム１０の構造を例示するために利用されているに過ぎない。実際には、ネットワークは、ＬＴＥ−Ａシステム若しくはＬＴＥ−Ａシステムの発展型における少なくとも１つの発展型Ｎｏｄｅ−Ｂ（ｅＮＢ）を含む発展型ＵＴＲＡＮ（Ｅ−ＵＴＲＡＮ）、又は５Ｇ基地局を含む５Ｇ無線アクセスネットワーク（例えば、ｇＮＢ）であってよい。５Ｇ無線通信技術は、直交周波数分割多重方式（ＯＦＤＭ）及び／又は非ＯＦＤＭを利用してよく、１ｍｓよりも短くてよく（例えば、１００又は２００ｕｓ）、通信デバイスとＢＳとの間の通信のためにより広いシステム帯域幅をサポートしてよい。
【００１９】
通信デバイスは、ユーザ機器（ＵＥ）、携帯電話、ラップトップ、タブレットコンピュータ、電子ブック、ポータブルコンピュータシステム、車両、船舶又は航空機であってよい。加えて、ネットワーク及び通信デバイスは、方向（即ち、伝送方向）に従って送信器又は受信器として見られることができる。例えば、アップリンク（上りリンク）（ＵＬ）に関して、通信デバイスは、送信器であり、ネットワークは、受信器であり、ダウンリンク（下りリンク）（ＤＬ）に関して、ネットワークは、送信器であり、通信デバイスは、受信器である。
【００２０】
図２は、本発明の実施例に従った通信デバイス２０の概略図である。通信デバイス２０は、図１に示す通信デバイス又はネットワークであってよいが、ここでは限定されない。通信デバイス２０は、マイクロプロセッサ又は特定用途向け集積回路（ＡＳＩＣ）のような処理回路２００、ストレージデバイス２１０、通信インターフェースデバイス２２０、及び通信インターフェースデバイス２４０を含んでよい。ストレージデバイス２１０は、処理回路２００によってアクセスされ且つ処理される、プログラムコード２１４を格納してよい。ストレージデバイス２１０の例は、加入者識別モジュール（ＳＩＭ）、読出し専用記憶装置（ＲＯＭ）、フラッシュメモリ、ランダムアクセス記憶装置（ＲＡＭ）、ハードディスク、光データストレージデバイス、不揮発性記憶装置、非一時的コンピュータ可読媒体（例えば、有形媒体）等を含むが、それらに限定されない。通信インターフェースデバイス２２０及び２４０は、好ましくは、処理回路２００の処理結果に従って信号（例えば、データ、メッセージ及び／又はパケット）を送受信するために用いられる送受信器である。
【００２１】
以下の例では、実施形態の例示を単純化するために、ＵＥが、図１中の通信デバイスを表すために用いられる。
【００２２】
図３は、本発明の実施例に従ったプロセス３０のフローチャートである。プロセス３０は、データを伝送するために、ＵＥにおいて利用されてよい。プロセス３０は、以下のステップを含む。
【００２３】
ステップ３００：開始する。
【００２４】
ステップ３０２：第１のＢＳから、第１のデータ無線ベアラ（ＤＲＢ）を設定する(configuring)並びに第１のフローを第１のＤＲＢにマッピングするマッピングを設定する(configuring)、第１の無線リソース制御（ＲＲＣ）メッセージを受信する。
【００２５】
ステップ３０４：第１のＲＲＣメッセージに応答して、第１のＤＲＢを通じて第１のフローの第１の複数のプロトコルデータユニット（ＰＤＵ）を送信する。
【００２６】
ステップ３０６：第１のＢＳからハンドオーバ命令を受信する。
【００２７】
ステップ３０８：ハンドオーバ命令に応答して、第２のＢＳへのハンドオーバを実行する。
【００２８】
ステップ３１０：第２のＢＳへのハンドオーバの実行後に、ハンドオーバ命令に応答して、第２のＤＲＢを通じて第１のフローの第２の複数のＰＤＵを第２のＢＳに送信する。
【００２９】
ステップ３１２：終了する。
【００３０】
１つの実施例において、第１のＲＲＣメッセージは、マッピングを設定するマッピング設定(mapping  configuration)及び第１のＤＲＢを設定するＤＲＢ設定(DRB  configuration)を含む。ＵＥは、マッピング設定に応答して、第１のＤＲＢを通じて第１のフローの第１の複数のＰＤＵを送信する。
【００３１】
１つの実施例において、第２のＤＲＢは、デフォルトＤＲＢである。第１のＲＲＣメッセージは、デフォルトＤＲＢを設定してよい。代替的に、第１のＢＳは、第１のＲＲＣメッセージを送信する前に、デフォルトＤＲＢを設定する第２のＲＲＣメッセージを送信してよい。ハンドオーバ命令が、第１のフローを第１のＤＲＢにマッピングするマッピングを設定しないとき、ＵＥは、第２のＤＲＢを通じて第１のフローの第２の複数のＰＤＵを第２のＢＳに送信してよい。即ち、ＵＥは、ハンドオーバ命令に応答して、マッピング設定を解除し、デフォルトＤＲＢを用いて第１のフローの第２の複数のＰＤＵを送信する。
【００３２】
１つの実施例において、ＵＥは、ハンドオーバ命令に応答して、ＤＲＢ設定を維持する。マッピング設定がＤＲＢ設定に含められるならば、ＵＥは、マッピング設定を解除するが、ＤＲＢ設定中の少なくとも１つの設定（例えば、ＤＲＢアイデンティティ、無線リンク制御（ＲＬＣ）設定等）を維持してよい。マッピング設定がパケットデータ収束プロトコル（ＰＤＣＰ）に含められるならば、ＵＥは、マッピング設定を解除するが、ＰＤＣＰ設定内の少なくとも１つの設定を維持してよい。
【００３３】
１つの実施例において、ＵＥは、ハンドオーバの実行前に、（複数の）ＵＬ伝送及び／又は（複数の）ＤＬ伝送をスケジュールするようにネットワークによって送信される制御チャネルをモニタリングするための識別子（例えば、無線ネットワークの一時的な識別子（Radio  Network  Temporary  Identifier）（ＲＮＴＩ））で設定される。ハンドオーバ命令が新しい識別子を含まないならば、ＵＥは、ハンドオーバ命令に応答して識別子を維持してよい。
【００３４】
１つの実施例において、ＵＥは、ハンドオーバ命令に応答して、電力制御設定及び／又は周期的チャネル品質指標（channel  quality  indication）（ＣＱＩ）を解除／送信してよい。
【００３５】
１つの実施例において、ハンドオーバ命令が、第１のフローを第３のＤＲＢにマッピングするマッピングを示すマッピング設定を設定するとき、ＵＥは、第３のＤＲＢを通じて第２の複数のＰＤＵを第２のＢＳに送信する。
【００３６】
図４は、本発明の実施例に従ったプロセス４０のフローチャートである。プロセス４０は、データを伝送するために、ＵＳ内で利用されてよい。プロセス４０は、以下のステップを含む。
【００３７】
ステップ４００：開始する。
【００３８】
ステップ４０２：第１のＢＳから、第１のＤＲＢを設定する並びに第１のフローを第１のＤＲＢにマッピングするマッピングを設定する第１のＲＲＣメッセージを受信する。
【００３９】
ステップ４０４：第１のＲＲＣメッセージに応答して、第１のＤＲＢを通じて第１のフローの第１の複数のＰＤＵを送信する。
【００４０】
ステップ４０６：第１のＢＳから第２のＤＲＢを通じて第１のフロー又は第２のフローの第２のＰＤＵを受信する。
【００４１】
ステップ４０８：第２のＰＤＵに応答して、第２のＤＲＢを通じて第１のフローの第３の複数のＰＤＵを送信する。
【００４２】
ステップ４１０：第１のＢＳからハンドオーバ命令を受信する。
【００４３】
ステップ４１２：ハンドオーバ命令に応答して第２のＢＳへのハンドオーバを実行する。
【００４４】
ステップ４１４：第２のＢＳへのハンドオーバを実行した後に、ハンドオーバ命令に応答して、第１のＤＲＢを通じて第１のフローの第４の複数のＰＤＵを第２のＢＳに送信する。
【００４５】
ステップ４１６：終了する。
【００４６】
１つの実施例において、第１のＲＲＣメッセージは、マッピングを設定するマッピング設定と、第１のＤＲＢを設定するＤＲＢ設定とを含む。ＵＥは、マッピング設定に応答して、第１のＤＲＢを通じて第１のフローの第１の複数のＰＤＵを送信する。１つの実施例において、第１のＲＲＣメッセージは、第２のＤＲＢを設定する。１つの実施例において、ＵＥは、第２のＤＲＢを設定する第２のＲＲＣメッセージを受信する。
【００４７】
１つの実施例において、第１のＢＳは、（もし設定されるならば）第２のＤＲＢを用いて第１のフロー及び第２のフローのＰＤＵを送信することをＵＥに表示するために、第２のＤＲＢを通じて第１のフロー又は第２のフローの第２のＰＤＵをＵＥに送信する。ハンドオーバの実行後、ＵＥは、第２のＢＳがその表示を認識していないので、その表示が有効でないことを決定する。よって、ＵＥは、マッピング設定を適用して、第１のＤＲＢを通じてＰＤＵを送信する。１つの実施例において、第１のフロー及び第２のフローは、第１のＲＲＣメッセージ又は第２のＲＲＣメッセージ内で第１のＤＲＢに集められるよう、第１のＢＳによって設定されてよい。
【００４８】
１つの実施例において、ＵＥは、ハンドオーバ命令に応答して、マッピング設定及びＤＲＢ設定を維持してよい。マッピング設定は、ＤＲＢ設定に含められても含められなくてもよい。ＵＥは、ハンドオーバ命令に応答して、セカンダリセル（ＳＣｅｌｌ）設定又はセカンダリセルグループ（ＳＣＧ）設定を解除してよい。
【００４９】
１つの実施例において、ハンドオーバ命令がＤＲＢへの第１のフローを表示するマッピング設定を含まないとき、ＵＥは、ハンドオーバ命令に応答して、第１のＤＲＢを通じて第１のフローの第４の複数のＰＤＵを第２のＢＳに送信する。即ち、ハンドオーバ命令がマッピング設定を含まないとき、ＵＥは、ハンドオーバの実行後にマッピングを変更しない。加えて、ハンドオーバ命令がマッピングを設定しないとき、ＵＥは、ネットワークが、ＵＥが第１のフローを第１のＤＲＢにマッピングするマッピングを維持するのを好む、ことを知る場合がある。ハンドオーバ命令が第１のフローを第２のＤＲＢにマッピングするマッピングを設定するマッピング設定を含むとき、ＵＥは、ハンドオーバ命令に応答したハンドオーバの実行後に、第２のＤＲＢを通じて第１のフローの第５の複数のＰＤＵを第２のＢＳに送信してよい。プロセス３０についての実施例はプロセス４０に適用されてよく、ここでは述べられない。
【００５０】
図５は、本発明の実施例に従ったプロセス５０のフローチャートである。プロセス５０は、データを伝送するために、ＵＥにおいて利用されてよい。プロセス５０は、以下のステップを含む。
【００５１】
ステップ５００：開始する。
【００５２】
ステップ５０２：第１のＢＳから、第１のＤＲＢを設定する並びに第１のフローを第１のＤＲＢにマッピングするマッピングを設定する第１のＲＲＣメッセージを受信する。
【００５３】
ステップ５０４：第１のＲＲＣメッセージに応答して、第１のＤＲＢを通じて第１のフローの第１の複数のＰＤＵを第１のＤＲＢに送信する。
【００５４】
ステップ５０６：第１のＢＳから第２のＤＲＢを通じて第１のフロー又は第２のフローの第２のＰＤＵを受信する。
【００５５】
ステップ５０８：第２のＰＤＵを受信に応答して第２のＤＲＢを通じて第１のフローの第３の複数のＰＤＵを送信する。
【００５６】
ステップ５１０：第１のＢＳからハンドオーバ命令を受信する。
【００５７】
ステップ５１２：ハンドオーバ命令に応答して第２のＢＳへのハンドオーバを実行する。
【００５８】
ステップ５１４：第２のＢＳへのハンドオーバの実行後に、ハンドオーバ命令に応答して第２のＤＲＢを通じて第２のＢＳに第１のフローの第４の複数のＰＤＵを送信する。
【００５９】
ステップ５１６：終了する。
【００６０】
１つの実施例において、第１のＲＲＣメッセージは、マッピングを設定するマッピング設定と、第１のＤＲＢを設定するＤＲＢ設定とを含む。１つの実施例において、第１のＲＲＣメッセージは、第２のＤＲＢを設定する。１つの実施例において、ＵＥは、第２のＤＲＢを設定する第２のＲＲＣメッセージを受信する。
【００６１】
１つの実施例において、第１のＢＳは、（もし設定されるならば）第２のＤＲＢを用いて第１のフロー及び第２のフローのＰＤＵを送信することをＵＥに表示するために、第２のＤＲＢを通じて第１のフロー又は第２のフローの第２のＰＤＵをＵＥに送信する。ハンドオーバの実行後、ＵＥは、第２のＢＳが第１のＢＳからその表示を受信することがあるので、その表示が依然として有効であることを決定する。１つの実施例において、第２のＢＳは、第１のＢＳからの第１のＢＳによって更新された更新済みマッピング設定を受信し、更新済みマッピング設定は、第２のＤＲＢにマッピングされる第１のフローを設定する。ＵＥは、その表示に従って更新済みマッピング設定にマッピング設定を更新してよい。よって、ＵＥは、ハンドオーバの実行後に、その表示又は更新済みマッピング設定を適用して、第２のＤＲＢを通じて第１のフローのＰＤＵを第２のＢＳに送信する。１つの実施例において、第１のフロー及び第２のフローは、第１のＲＲＣメッセージ又は第２のＲＲＣメッセージ内の同じＤＲＢに集められるよう、第１のＢＳによって設定される。
【００６２】
１つの実施例において、ＵＥは、ハンドオーバ命令に応答して、マッピング設定及びＤＲＢ設定を維持する。マッピング設定は、ＤＲＢ設定に含められても含められなくてもよい。ＵＥは、ハンドオーバ命令に応答して、ＳＣｅｌｌｌ設定又はＳＣＧ設定を解除してよい。
【００６３】
１つの実施例において、ハンドオーバ命令が第１のフローをＤＲＢにマッピングすることを表示するマッピング設定を含まないとき、ＵＥは、ハンドオーバ命令に応答してハンドオーバを実行した後に、第２のＤＲＢを通じて第１のフローの第４の複数のＰＤＵを送信する。即ち、ハンドオーバ命令がマッピング設定を含まないとき、ＵＥは、ハンドオーバの実行後、に第２のＤＲＢへの第１のフローのマッピングを変更しない。加えて、ハンドオーバ命令が第１のフローを第２のＤＲＢにマッピングするマッピングを設定しないことがあるとき、ＵＥは、ネットワークが、ＵＥがマッピングを維持するのを好む、ことを知る場合がある。ハンドオーバ命令が、第１のフローを第３のＤＲＢにマッピングするマッピングを設定するマッピング設定を含むとき、ＵＥは、ハンドオーバ命令に応答して第３のＤＲＢを通じて第１のフローの第５の複数のＰＤＵを送信してよい。プロセス３０及び４０についての実施例はプロセス５０に適用されてよく、ここでは繰り返されない。
【００６４】
１つの実施例において、第１のＤＲＢ、第２のＤＲＢ、及び第３のＤＲＢは、異なる通信品質（quality  of  service）（ＱｏＳ）である。
【００６５】
図６は、本発明の実施例に従ったプロセス６０のフローチャートである。プロセス６０は、ＵＥへのＱｏＳを設定するよう第１のＢＳ及び第２のＢＳのうちの少なくとも１つを含む図１のネットワークにおいて利用されてよい。プロセス６０は、以下のステップを含む。
【００６６】
ステップ６００：開始する。
【００６７】
ステップ６０２：第１のＤＲＢを設定する並びに第１のフローを第１のＤＲＢにマッピングするマッピングを設定するＲＲＣメッセージをＵＥに送信する。
【００６８】
ステップ６０４：第１のＲＲＣメッセージに応答して、第１のＤＲＢを通じて第１のフローの第１の複数のＰＤＵをＵＥと通信させる。
【００６９】
ステップ６０６：ハンドオーバ命令をＵＥに送信して、ＥＵを第２のＢＳにハンドオーバする。
【００７０】
ステップ６０８：第２のＢＳへのＵＥのハンドオーバ後、ハンドオーバ命令に応答して、第２のＤＲＢを通じて第１のフローの第２の複数のＰＤＵをＵＥと通信させる。
【００７１】
ステップ６１０：終了する。
【００７２】
プロセス６０によれば、ネットワーク（例えば、第１のＢＳ）は、第１のＤＲＢを設定する並びに第１のフローを第１のＤＲＢにマッピングするマッピングを設定する第１のＲＲＣメッセージをＵＥに送信する。ネットワーク（例えば、第１のＢＳ）は、第１のＲＲＣメッセージに応答して、第１のＤＲＢを通じて第１のフローの第１の複数のＰＤＵをＵＥと通信させる（ＵＳに送信する或いはＵＥから受信する）。次に、ネットワーク（例えば、第１のＢＳ）は、（例えば、暫くしてから）ハンドオーバ命令をＵＥに送信して、ＵＥを第２のＢＳにハンドオーバする。ネットワーク（例えば、第２のＢＳ）は、第２のＢＳへのＵＥのハンドオーバ後、ハンドオーバ命令に応答して、第２のＤＲＢを通じて第１のフローの第２の複数のＰＤＵをＵＥと通信させる。
【００７３】
１つの実施例では、ハンドオーバ準備において、第１のＢＳは、ハンドオーバ要求メッセージ(handover  request  message)においてマッピング設定を第２のＢＳに送信し或いは送信しない。第２のＢＳは、ハンドオーバ要求メッセージに応答して、ハンドオーバ要求承認メッセージ(handover  request  acknowledge  message)を第１のＢＳに送信する。ハンドオーバ要求承認メッセージは、ハンドオーバ命令を含んでよい。第２のＢＳは、第１のフローを第２のＤＲＢにマッピングするマッピングを設定するマッピング設定を決定してよく、ハンドオーバ命令中にマッピング設定を含んでよい。第１のＢＳがハンドオーバ要求承認メッセージを受信するとき、第１のＢＳは、ハンドオーバ命令をＵＥに送信する。１つの実施例において、第２のＢＳは、第１のフローのＱｏＳプロファイル／設定に従ってマッピングを決定してよい。第２のＢＳは、第１のＢＳ又はコアネットワークからＱｏＳプロファイル／設定を受信してよい。
【００７４】
１つの実施例では、ハンドオーバ準備において、第１のＢＳは、ハンドオーバ要求メッセージ中のマッピング設定を第２のＢＳに送信しない。第２のＢＳは、ハンドオーバ要求メッセージに応答して、ハンドオーバ要求承認メッセージを第１のＢＳに送信してよい。ハンドオーバ要求承認メッセージは、ハンドオーバ命令を含んでよい。第２のＢＳは、ハンドオーバ命令中にマッピング設定を含まない。第１のＢＳがハンドオーバ要求承認メッセージを受信するとき、第１のＢＳは、ハンドオーバ命令をＵＥに送信する。
【００７５】
プロセス６０は、プロセス３０のネットワークに対応してよい。プロセス３０の実施例はプロセス６０に適用されてよく、ここでは繰り返されない。
【００７６】
図７は、本発明の実施例に従ったプロセス７０のフローチャートである。プロセス７０は、ＵＥへのＱｏＳを設定するよう第１のＢＳ及び第２のＢＳのうちの少なくとも一方を含む図１のネットワークにおいて利用されてよい。プロセス７０は、以下のステップを含む。
【００７７】
ステップ７００：開始する。
【００７８】
ステップ７０２：第１のＤＲＢを設定する並びに第１のフローを第１のＤＲＢにマッピングするマッピングを設定する第１のＲＲＣメッセージをＵＥに送信する。
【００７９】
ステップ７０４：第１のＲＲＣメッセージに応答して、第１のＤＲＢを通じて第１のフローの第１のＰＤＵをＵＥと通信させる。
【００８０】
ステップ７０６：第２のＤＲＢを通じて第１のフロー又は第２のフローの第２の複数のＰＤＵをＵＥに送信することを決定する。
【００８１】
ステップ７０８：その決定に応答して、第２のＤＲＢを通じて第１のフローの第３の複数のＰＤＵをＵＥと通信させる。
【００８２】
ステップ７１０：ハンドオーバ命令をＵＥに送信して、ＵＥを第２のＢＳにハンドオーバする。
【００８３】
ステップ７１２：第２のＢＳへのＵＥのハンドオーバ後に、マッピングに従って、第１のＤＲＢを通じて第１のフローの第４の複数のＰＤＵをＵＥと通信させる。
【００８４】
ステップ７１４：終了する。
【００８５】
プロセス７０によれば、ネットワーク（例えば、第１のＢＳ）は、第１のＤＲＢを設定する並びに第１のフローを第１のＤＲＢにマッピングするマッピングを設定する第１のＲＲＣメッセージをＵＥに送信する。ネットワーク（例えば、第１のＢＳ）は、第１のＲＲＣメッセージに応答して、第１のＤＲＢを通じて第１のフローの第１のＰＤＵをＵＥと通信させる（例えば、ＵＥに送信する或いはＵＥから受信する）。ネットワーク（例えば、第１のＢＳ）は、第１のＢＳから第２のＤＲＢを通じて第１のフロー又は第２のフローの第２の複数のＰＤＵを送信することを決定する。ネットワーク（例えば、第１のＢＳ）は、その決定に応答して、第２のＤＲＢを通じて第１のフローの第３の複数のＰＤＵをＵＥと通信させる。次に、ネットワーク（例えば、第１のＢＳ）は、ハンドオーバ命令をＵＥに送信して、（例えば、暫くしてから）ＵＥを第２のＢＳにハンドオーバする。ネットワーク（例えば、第２のＢＳ）は、第２のＢＳへのＵＥのハンドオーバ後に、マッピングに従って、第１のＤＲＢを通じて第１のフローの第４の複数のＰＤＵをＵＥと通信させる。
【００８６】
１つの実施例では、ハンドオーバ準備において、第１のＢＳは、ハンドオーバ要求メッセージ中の（例えば、マッピング設定内の）マッピングを第２のＢＳに送信する。第２のＢＳは、ハンドオーバ要求メッセージに応答して、ハンドオーバ要求承認メッセージを第１のＢＳに送信してよい。ハンドオーバ要求承認メッセージは、ハンドオーバ命令を含んでよい。第１のＢＳがハンドオーバ要求承認メッセージを受信するとき、第１のＢＳはハンドオーバ命令をＵＥに送信する。第２のＢＳは、ハンドオーバ命令内のマッピングを設定しても設定しなくてもよい。１つの実施例において、第２のＢＳは、ハンドオーバ命令内にマッピング設定を含んでも含まなくてもよい。
【００８７】
プロセス７０は、プロセス４０のネットワークに対応してよい。プロセス４０の実施例はプロセス７０に適用されてよく、ここでは繰り返されない。
【００８８】
図８は、本発明の実施例に従ったプロセス８０のフローチャートである。プロセス８０は、ＵＥへのＱｏＳを設定するよう第１のＢＳ及び第２のＢＳのうちの少なくとも一方を含む図１のネットワークにおいて利用されてよい。プロセス８０は、以下のステップを含む。
【００８９】
ステップ８００：開始する。
【００９０】
ステップ８０２：第１のＤＲＢを設定する並びに第１のフローを第１のＤＲＢにマッピングするマッピングを設定する第１のＲＲＣメッセージをＵＥに送信する。
【００９１】
ステップ８０４：第１のＲＲＣメッセージに応答して、第１のＤＲＢを通じて第１のフローの第１のＰＤＵをＵＥと通信させる。
【００９２】
ステップ８０６：第２のＤＲＢを通じて第１のフロー又は第２のフローの第２の複数のＰＤＵをＵＥに送信することを決定する。
【００９３】
ステップ８０８：その決定に応答して、第２のＤＲＢを通じて第１のフローの第３の複数のＰＤＵをＵＥと通信させる。
【００９４】
ステップ８１０：ハンドオーバ命令をＵＥに送信して、ＵＥを第２のＢＳにハンドオーバする。
【００９５】
ステップ８１２：第２のＢＳへのＵＥのハンドオーバ後に、第２のＤＲＢを通じて第１のフローの第４の複数のＰＤＵをＵＥと通信させる。
【００９６】
ステップ８１４：終了する。
【００９７】
プロセス８０によれば、ネットワーク（例えば、第１のＢＳ）は、第１のＤＲＢを設定する並びに第１のフローを第１のＤＲＢにマッピングするマッピングを設定する第１のＲＲＣメッセージをＵＥに送信する。ネットワーク（例えば、第１のＢＳ）は、第１のＲＲＣメッセージに応答して、第１のＤＲＢを通じて第１のフローの第１のＰＤＵをＵＥと通信させる（例えば、ＵＥに送信する或いはＵＥから受信する）。ネットワーク（例えば、第１のＢＳ）は、第１のＢＳから第２のＤＲＢを通じて第１のフロー又は第２のフローの第２の複数のＰＤＵを送信することを決定する。ネットワーク（例えば、第１のＢＳ）は、その決定に応答して、第２のＤＲＢを通じて第１のフローの第３の複数のＰＤＵをＵＥと通信させる。次に、ネットワーク（例えば、第１のＢＳ）は、ハンドオーバ命令をＵＥに送信して、（例えば、暫くしてから）ＵＥを第２のＢＳにハンドオーバする。ネットワーク（例えば、第２のＢＳ）は、第２のＢＳへのＵＥのハンドオーバ後、第２のＤＲＢを通じて第１のフローの第４の複数のＰＤＵをＵＥと通信させる。
【００９８】
１つの実施例では、ハンドオーバ準備において、第１のＢＳは、（例えば、マッピング設定内の）マッピング及びハンドオーバ要求メッセージ内の決定を示す或いは第１のフローを第２のＤＲＢに再マッピングすることを示す表示を第２のＢＳに送信する。１つの実施例において、第１のＢＳは、ハンドオーバ要求メッセージ内の第１のフローを第２のＤＲＢにマッピングすることを示す更新されたマッピング設定を第２のＢＳに送信する。第２のＢＳは、ハンドオーバ要求メッセージに応答して、ハンドオーバ要求承認メッセージを第１のＢＳに送信してよい。ハンドオーバ要求承認メッセージは、ハンドオーバ命令を含んでよい。第１のＢＳがハンドオーバ要求承認メッセージを受信するとき、第１のＢＳはハンドオーバ命令をＵＥに送信する。第２のＢＳは、第２のＢＳへのＵＥのハンドオーバ後に、更新されたマッピング設定に従って、第２のＤＲＢを通じて第１のフローの第４のＰＤＵをＵＥと通信させる。
【００９９】
プロセス８０は、プロセス５０のネットワークに対応してよい。上記プロセス５０の実施例はプロセス８０に適用されてよく、ここでは繰り返されない。
【０１００】
上述のプロセスの実現は、上記の記述に限定されない。以下の実施例は、プロセス３０乃至８０に適用されてよい。
【０１０１】
１つの実施例において、第１のＢＳ及び第２のＢＳが同じＢＳであるとき、ハンドオーバは、ＢＳ内ハンドオーバ（例えば、ＢＳの第１のセルからＢＳの第２のセルへのハンドオーバ）である。１つの実施例において、第１のＢＳ及び第２のＢＳが異なるＢＳであるとき、ハンドオーバは、ＢＳ間ハンドオーバ（例えば、第１のＢＳの第１のセルから第２のＢＳの第２のセルへのハンドオーバ）である。
【０１０２】
１つの実施例において、ＰＤＵは、ＰＤＣＰ  ＰＤＵである。ＰＤＣＰ  ＰＤＵは、第１のフロー（例えば、ＱｏＳフロー又はインターネットプロトコル（ＩＰ）フロー）のためのネットワークによって割り当てられるフローアイデンティティ（flow  identity）（例えば、ＱｏＳフローアイデンティティ）を含んでよく、ＰＤＣＰサービスデータユニット（service  data  unit）（ＳＤＵ）を含んでよい。フローアイデンティティは、マッピング設定内にあってよい。ＰＤＣＰ  ＰＤＵは、ＩＰパケットを含んでよい。ＵＥがＰＤＣＰ  ＰＤＵを受信するとき、ＵＥは、ＰＤＣＰ  ＰＤＵ内に含められるＰＤＣＰ  ＳＤＵが、フローアイデンティティに従ったフローに属することを知る／決定する。
【０１０３】
１つの実施例において、ＰＤＣＰ設定は、シーケンス番号の大きさ(sequence  number  size)、廃棄タイマ値(discard  timer  value)、及びＲＬＣ承認又は未承認モード(RLC  acknowledged  or  unacknowledged  mode)のうちの少なくとも１つを含む。ＤＲＢ設定は、ＤＲＢアイデンティティ、ＩＰ又はＱｏＳフローアイデンティティ、ＰＤＣＰ設定及びＲＬＣ設定のうちの少なくとも１つを含んでよい。
【０１０４】
当業者は、上述の記述及び実施例に対する組み合わせ、修正及び／又は変更を容易に行うはずである。例えば、当業者は、ＥＵの実施形態及び実施例に基づきネットワークの新しい実施形態を容易に作り、ネットワークの実施形態及び実施例に基づきＵＥの新しい実施形態を作る。ハードウェア、ソフトウェア、（ハードウェアデバイスとハードウェアデバイス上に読出し専用ソフトウェアとして存在するコンピュータ指令及びデータファームウェアとの組み合わせとして知られる）ファームウェア、電子システム、又はそれらの組み合わせである得る手段を用いて、上述の記述、上述のステップを含むステップ及び／又はプロセスを実現することができる。その手段の一例は、通信デバイス２０であってよい。上記プロセス及び上記実施例のうちのいずれかがプログラムコード２１４にコンパイルされてよい。
【０１０５】
要約すると、本発明は、ハンドオーバ後のデータ伝送を取り扱う方法及び通信デバイスを提供する。通信デバイスは、ＤＲＢ及びＲＲＣメッセージに従ったフローからＤＲＢへのマッピングとして構成される。その場合、通信デバイスは、ハンドオーバの実行後に、ＤＲＢ（又は他のＤＲＢ）を通じてフローの複数のＰＤＵを送信する。よって、ハンドオーバ後のデータ伝送の問題は解決される。
【０１０６】
当業者は、本発明の教示を維持しながら、デバイス及び方法の数多くの修正及び変形が行われ得ることに直ちに気付くであろう。従って、上記開示は、添付の請求項の境界によってのみ限定されるものと解釈されなければならない。
【符号の説明】
【０１０７】
１０    通信システム(communication  system)
２０    通信デバイス(communication  device)
３０    プロセス(process)
４０    プロセス(process)
５０    プロセス(process)
６０    プロセス(process)
７０    プロセス(process)
８０    プロセス(process)
２００  処理回路(processing  circuit)
２１０  ストレージデバイス(storage  device)
２１４  プログラムコード(program  code)
２２０  通信インターフェースデバイス(communication  interface  device)
２４０  通信インターフェースデバイス(communication  interface  device)
【図１】
2018093493.tif 000003
【図２】
2018093493.tif 000004
【図３】
2018093493.tif 000005
【図４】
2018093493.tif 000006
【図５】
2018093493.tif 000007
【図６】
2018093493.tif 000008
【図７】
2018093493.tif 000009
【図８】
2018093493.tif 000010
【外国語明細書】
2018093493000001.pdf